Podtech/llm-jp-corpus-v4-ja_patent huggingface dataset:
(57)【要約】【課題】  弦楽器の弦高を精度よく測定し数値化する。【解決手段】  被測定弦楽器に磁性体の計測弦を張りネック上に計測弦と空隙を持たせてＵ字型磁性体を置き、空隙を持った磁気回路を構成する。  この磁気回路に鎖交する一次コイルと二次コイルを置くと、これらの相互インダクタンスは空隙の大きさにより変化する。この変化を一次電流と誘導二次電圧により計測する事で空隙の大きさを求め楽器ネックと弦の高さである弦高を測定する。【選択図】図２
2011065115.tif 000002
【特許請求の範囲】
【請求項１】
Ｕ字型磁性体と弦楽器に張られた磁性体の計測弦さらに両者の空隙によって形成される磁気回路に鎖交する一次コイルと二次コイルを置き、一次コイル側の交流定電流によって二次コイルに誘起される交流電圧は、Ｕ字型磁性体と計測弦の空隙によって定まることを利用して弦楽器の弦高を求める弦高測定装置
【発明の詳細な説明】
【技術分野】
【０００１】  本発明は弦楽器の弦高を正確に測定する方法に関するものである。
【発明の概要】
【発明が解決しようとする課題】
【０００２】  従来使用するにつれて変化していく弦楽器の弦高を測定し管理するには、物差しや適当な厚みのゲージを使用して弦高を測定し管理していた。
この様な測定では十分な精度と客観性の在る計測が出来ないため、感覚に頼った弦高管理を行っている点である。
【課題を解決するための手段】
【０００３】  本発明は実際の弦の変わりに磁性体で作られた計測弦を計測したい楽器に張り、計測したい位置の楽器ネック部に弦高よりも低く高さが概知なＵ字型磁性体を置き、そのＵ字型磁性体に一次コイルと二次コイルを巻く。
Ｕ字型磁性体と計測弦により空隙を介して磁気回路を構成し、空隙の変化が磁気抵抗の変化と成る様にする。
一次コイルに交流電流を通しそれによって二次コイルに誘起される交流電圧の強度及び位相は磁気回路の磁気抵抗により決まるため、Ｕ字型磁性体と計測弦の空隙を知ることが出来る。
Ｕ字型磁性体の高さが概知であるので、楽器のネックと弦の距離である弦高を測定することが出来る。
【発明の効果】
【０００４】  本発明の弦高測定により、弦楽器の演奏しやすさと音質に影響がある弦高を正確に測定し管理することが可能になる。
【図面の簡単な説明】
【０００５】
【図１】図１は弦高測定装置の実施方法を示した説明図である。
【図２】図２は弦高測定装置の計測方法を示した説明図である。
【図３】図３は弦高測定装置センサー部の詳細を示した説明図である。
【発明を実施するための形態】
【０００６】  一般に指で弦をネックに押し付けて音を変化させる弦楽器の弦高はさほど高くなく、従って受一次コイルを直接、計測弦とネックの間に挿入する事には多少無理が在るので、図３の様にＵ字型磁性体の先端のみを計測弦とネックの間に挿入するようにする。
【実施例】
【０００７】  図１は、本発明装置の１実施例で弦楽器の各部と弦高測定装置のセンサーとの関係を示している。【０００８】  図２は、本発明装置の計測原理で、送信コイルと二次コイルの相互インダクタンスは、Ｕ字型磁性体と計測弦の空隙の大きさにより大きく変化します。
従って一次コイルに加える電流が一定であるならば、二次コイルに誘起される電圧はＵ字型磁性体と計測弦の空隙の大きさにより一定の値を取る。
予め一次コイルに加える電流を定め、空隙と二次コイルの誘起電圧の関係を求めておく事で空隙の大きさを計測できる。
またセンサーの高さは一定であり、センサーと空療を加えた高さは弦高に成るため結果弦高を知ることが出来る。【０００９】  図３は、本発明装置を実施する際のセンサー形状と計測弦及びネックの関係を示している。
【符号の説明】
【００１０】１    本発明装置の計測弦
２    本発明装置のセンサー
３    弦楽器のブリッジ
４    弦楽器の共鳴箱
５    弦楽器のネック
６    弦楽器の弦巻取り具
５０  Ｕ字型磁性体
５１  一次コイル
５２  二次コイル
５３  一次コイル交流定電流源
５４  二次コイル交流電圧測定器
５５  Ｕ字型磁性体と計測弦との空隙に於ける磁束
【図１】
2011065115.tif 000003
【図２】
2011065115.tif 000004
【図３】
2011065115.tif 000005
(57)【要約】【課題】  ガス台で鍋やヤカンなどのお湯を沸かそうとすると炎が鍋底から外側へ弾けるように逃げてしまい熱を効率よく使われておらず、沸かすのに時間もかかり、ガスの損失も多く、不経済だった。  本発明は、以上の問題点を解決するためになされたものである。【解決手段】  ガス台の鍋置具の一端に蝶番を施した折りたたみ、二重構造からなる、三日月形状の幅狭リングを取り付け、さらに、三日月形状具にスライド、リングを施したものである。【選択図】図１
2011232019.tif 000002
【特許請求の範囲】
【請求項１】
ガス台の一端に折りたたみのできる円盤状のスライド式の鍋リング。
【発明の詳細な説明】
【技術分野】
【０００１】  本発明はガス台に於ける省エネルギー、鍋類の早沸かし具に関するものである。
【背景技術】
【０００２】  従来一般家庭用ガス台には省エネルギー対策や高い効率化を図る技術がなされていなかった。
【発明の概要】
【発明が解決しようとする課題】
【０００３】  ガス台で鍋やヤカンなどのお湯を沸かそうとすると、炎が鍋底から外側へ弾けるように逃げてしまい、熱を効率よく使われておらず、沸かすのに時間もかかり、ガスの損失も多く、誰しもが心理として不経済だと深く感ずるものである。
本発明は、以上の問題点を解決するためになされたものである。
【課題を解決するための手段】
【０００４】  ガス台の鍋置具の一端に蝶番を施した折りたたみ、二重構造からなる、三日月形状の幅狭リングを取り付け、さらに、三日月形状具にスライド、リングを施したものである。
以上の構成よりなる鍋リング。
【発明の効果】
【０００５】  従来からムダにされていたガスの熱をムダなく使いきっている満足感と、お湯等も早く沸くようになり、さらに、経済的にも繋がる。
本発明は、以上の問題を解決できる。
【図面の簡単な説明】
【０００６】
【図１】  上図
【図２】  横図（右側）
【発明を実施するための形態】
【０００７】  以下、本発明の実施の形態を説明する。
（イ）ガス台の鍋置台の一端に蝶番（４）をネジで固定する。
（ロ）内リング（１）から、スライド式外リング（２）を引き出し鍋の大きさに合わせセットする。
（ハ）セット後、下部の左右の支え脚（磁石）（６）を固定する。
【符号の説明】
【０００８】  （１）内リング
（２）スライド式外リング
（３）外リングスライドレール
（４）蝶番
（５）自在ピン
（６）支え脚（磁石）
（７）炎噴き出し溝
【図１】
2011232019.tif 000003
【図２】
2011232019.tif 000004
(57)【要約】      （修正有）【課題】店舖・事務所等で強盗などに入られ、店員と対面した時、安全に犯人を撃退するシステムを提供する。【解決手段】スイッチ３をＯＮする、バルブ４が開き、撃退溶液５がノズル２からスプレーされ犯人を撃退する事を特徴とする。店舗・事務所等、強盗等を防御するため、銃または刃物の所持していない店員等に有効であり、一瞬にして撃退溶液５をスプレーすることにより、犯人がひるんだ隙に、撃退したり、安全な場所に避難したり、捕獲することができる、危険のない撃退システムである。【選択図】図１
2011232018.tif 000002
【特許請求の範囲】
【請求項１】
スイッチ３をＯＮすると、バルブ４が開き、撃退溶液５がノズル２からスプレーされるシステム。
【発明の詳細な説明】
【技術分野】
【０００１】    この発明は犯人撃退スプレーシステムに関するものである。
【背景技術】
【０００２】  従来、店舗・事務所等で強盗などに入られ、店員と対面した時、防犯ベル・警報などで店舗・事務所等の外に知らせる手段、または、逃走する犯人にめがけ、特殊塗料をぶつける、または命中させ、逃走中の犯人の目印にする物はあった。しかし、安全に犯人を撃退する方法は皆無であった。
【先行技術文献】
【０００３】
【特許文献１】
【非特許文献１】
【発明の概要】
【発明が解決しようとする課題】
【０００４】  従来、店舗・事務所等で強盗などに入られ、店員と対面した時、防犯ベル・警報などで店舗・事務所等の外に知らせる手段、または、逃走する犯人にめがけ、特殊塗料をぶつける、または命中させ、逃走中の犯人の目印にする物はあった。しかし、安全に犯人を撃退する方法は皆無であった。
日本では、防御するための、銃または刃物の所持は難しく、また、許可を取り、銃または刃物の所持した場合、犯人から防御の際、大変危険に遭遇する為、銃または刃物の所持及び、これらを使用する防御は大変危険であり、ほとんどこの方法は採られていない。
本発明はこれらの欠点を解決する為になされたものである。
【課題を解決するための手段】
【０００５】  発明の構造を説明すれば、スイッチ３をＯＮする、バルブ４が開き、撃退溶液５がノズル２からスプレーされる。
本発明は以上の構成からなる犯人撃退スプレーシステムである。
【発明の効果】
【０００６】  発明の効果を説明すれば、店舗・事務所等、強盗等を防御するため、銃または刃物の所持していない店員等に有効であり、一瞬にして撃退溶液５をスプレーすることにより、犯人がひるんだ隙に、撃退したり、安全な場所に避難したり、捕獲することができる、危険のない撃退システムである。
【図面の簡単な説明】
【０００７】
【図１】高圧酸素またはガスボンベ１  と撃退溶液入り容器６で、撃退溶液５をスプレーするシステム図。
【図２】撃退溶液充填ガスボンベ７、で撃退溶液５をスプレーするシステム図。
【発明を実施するための形態】
（１）  バルブ４は電気式・エアー式・手動式も考えられ。
（２）  スプレー方式で、高圧酸素またはガスボンベ１  と撃退溶液入り容器６で、撃          退溶液５をスプレーする方法も考えられる。
（３）  スプレー方式で、撃退溶液充填ガスボンベ７で、撃退溶液５をスプレーする方          法も考えられる。
（４）  スプレー方式で、エアーコンプレッサーによる圧縮空気式も考えられる。
（５）  スプレー方式で、エアーレス装置にるスプレー式も考えられる。
（６）  撃退溶液５には、熊撃退ガス・熊撃退溶液・催涙ガス・催涙溶液・シンナー・          塗料・その他任意なガスあるいは、溶液が考えられる。
（７）  ノズル２は１個あるいは数個を店舗・事務所等に１カ所あるいは数カ所、また          は任意の箇所設置する事も考えられる。
（８）  ノズル２の設置も、隠した状態で設置する場合。あるいは防犯のため、設置を          アピールするような設置方法も考えられる。
【０００８】  発明の構造を説明すれば、電源スイッチ３をＯＮすると、バルブ４が開き高圧酸素またはガスボンベ１から高圧酸素またはガスが噴出し、撃退溶液入り容器６から撃退溶液５がノズル２からスプレーされる。または、撃退溶液充填ガスボンベ７から、撃退溶液５がスプレーされる。
本発明は以上の構成からなる犯人撃退スプレーシステムである。
その使用方法を説明すれば、スイッチ３をＯＮする、バルブ４が開き、撃退溶液５がノズル２からスプレーされ犯人を撃退する。。
【符号の説明】
【０００９】    １  高圧酸素またはガスボンベ    ２  ノズル    ３  スイッチ    ４  バルブ
５  撃退溶液    ６  撃退溶液入り容器    ７  撃退溶液充填ガスボンベ
【図１】
2011232018.tif 000003
【図２】
2011232018.tif 000004
(57)【要約】【課題】従来、電気泳動ゲルの観察には、紫外線を利用したイルミネーターが使用されてきた。この場合、実験者は紫外線による被爆から人体を保護するために被爆防止措置をとる必要があった。しかし、この被爆防止措置には限界があり、安全面での問題が残っていた。また、紫外線により、電気泳動ゲル中のＤＮＡを損傷させることを防ぐことはできなかった。【解決手段】本発明では、紫外線を使用せず、可視光線のみを使用するため、実験者の安全が確保される。また、紫外線によるＤＮＡへの損傷もなくなるため、実験に与える紫外線の影響から逃れることができる。【選択図】図１
2011232317.tif 000002
【特許請求の範囲】
【請求項１】
装置内に設けられた５００ｎｍを主波長とする可視光ＬＥＤ光源からの光が、直接および拡散反射板を介して、電気泳動ゲルを載せるガラス製のステージに導入される。ガラス製のステージはこれにより均一に発光し、電気泳動ゲル中の蛍光色素により染色されたバンドを励起する。励起されたバンドはオレンジ色のロングパスフィルターを通して観察することができ、バンドの切り出しに利用できる。
【請求項２】
装置内のガラス製のステージの下に黒色板を設置することで、ゲルの観察時のバックグラウンドを最小限に抑えることができる。
【発明の詳細な説明】
【発明の概要】
【発明が解決しようとする課題】
【０００１】紫外線光による実験者の被爆の回避と電気泳動ゲル中のＤＮＡの損傷の回避
【課題を解決するための手段】
【０００２】可視光ＬＥＤを使用して高感度にゲルの観察と切り出しを行なう
【発明の効果】
【０００３】可視光のため実験者の被爆と電気泳動ゲル中のＤＮＡの損傷を回避できる
【図面の簡単な説明】
【０００４】
【図１】電気泳動ゲル中のバンドを可視光ＬＥＤ光源で高感度に観察するための機構
【図１】
2011232317.tif 000003
(57)【要約】【課題】ＰＤＰパネルが映像を表示する際に発生する熱を用いて発電し、発電した電力で熱を排気するための排熱用ファンを動作させることで消費電力を低減させることが可能な映像表示装置を提供する。【解決手段】ＰＤＰパネルを有する映像表示装置であって、ゼーベック効果を有した発電デバイスである熱発電デバイスと、熱発電デバイスへＰＤＰパネルの熱を伝えるための第１の熱伝導シートと、熱発電デバイスにより発電した電力を安定させ、排熱用ファンに供給する電圧安定化装置と、を具備することを特徴とする。【選択図】図１
2011232587.tif 000002
【特許請求の範囲】
【請求項１】
ＰＤＰパネルを有する映像表示装置であって、
ゼーベック効果を有した発電デバイスである熱発電デバイスと、
前記熱発電デバイスへ前記ＰＤＰパネルの熱を伝えるための第１の熱伝導シートと、
前記熱発電デバイスにより発電した電力を安定させ、排熱用ファンに供給する電圧安定化装置と、を具備することを特徴とする映像表示装置。
【発明の詳細な説明】
【技術分野】
【０００１】
本発明は、プラズマディスプレイの発熱を利用して消費電力を低減することが可能な映像表示装置に関するものである。
【背景技術】
【０００２】
従来のプラズマディスプレイパネル（以下、ＰＤＰパネルと称す）を用いた映像表示装置は、放電による発光で映像を表示させているため熱を発生させているが、その熱を映像表示装置の外に排出しているだけであった。そして、近年、ＰＤＰパネルを用いた映像表示装置に対しては省エネが求められているにもかかわらず、この発生する熱を単に映像表示装置の外へ排出するだけであった（例えば、特許文献１参照）。
【０００３】
ここで、図２を用いて従来のＰＤＰパネルを用いた映像表示装置の構成を説明する。従来の映像表示装置は、ＰＤＰパネル１と、熱伝導シート２と、背面支持板３と、表示装置制御回路４と、排熱用ファン５と、表示装置制御回路用電源６から構成される。ＰＤＰパネル１は、表示装置制御回路４からの制御により映像を表示する。ＰＤＰパネル１が映像を表示する際に発生した熱は、熱伝導シート２を介して背面支持板３に伝わり、映像表示装置内部へと導かれ、排熱用ファン５により映像表示装置の外へと排出される。ここで、排熱用ファン５には、表示装置制御回路用電源６により電力が供給されている。
【先行技術文献】
【特許文献】
【０００４】
【特許文献１】特開平１０−１１７３１５号公報
【発明の概要】
【発明が解決しようとする課題】
【０００５】
しかしながら、上記従来の構成では、ＰＤＰパネルが映像を表示することで発生した熱は、熱伝導シートを伝わり映像表示装置内から排出されるだけであって、この熱を映像表示装置から排出するにあたり、排熱用ファンを用いているため、更に電力を消費するという問題があった。
【０００６】
本発明は、上記従来の課題を解決するもので、ＰＤＰパネルが映像を表示する際に発生する熱を用いて発電し、発電した電力で熱を排気するための排熱用ファンを動作させることで消費電力を低減させることが可能な映像表示装置を提供することを目的とする。
【課題を解決するための手段】
【０００７】
上記従来の課題を解決するために、本発明の映像表示装置は、ＰＤＰパネルと、ゼーベック効果を有した発電デバイスである熱発電デバイスと、熱発電デバイスへＰＤＰパネルの熱を伝えるための第１の熱伝導シートと、熱発電デバイスの熱を映像表示装置内部へ伝えるための第２の熱伝導シートと、熱発電デバイスにより発電した電力を安定させ排熱用ファンに電力を供給する電圧安定化装置を有し、ＰＤＰパネルが映像を表示する際に発生する熱を熱発電デバイスで電力に変換し、発電した電力で排熱用ファンの駆動を行う。
【発明の効果】
【０００８】
本発明の映像表示装置によれば、ＰＤＰパネルが映像を表示する際に発生する熱を熱発電デバイスにより電力に変換し、映像表示装置を駆動する電力の一部とすることで消費電力の低減を実現することができる。
【図面の簡単な説明】
【０００９】
【図１】本発明の実施の形態１における映像表示装置の構成を示す図
【図２】従来の映像表示装置の構成を示す図
【発明を実施するための形態】
【００１０】
以下本発明を実施するための形態について、図面を参照しながら説明する。
【００１１】
（実施の形態１）
図１は、本発明の実施の形態１における映像表示装置の構成を示す図である。えいぞ表示装置１００は、ＰＤＰパネル１と、第１の熱伝導シート７と、熱発電デバイス８と、第２の熱伝導シート９と、背面支持板３と、表示装置制御回路４と、排熱用ファン５と、表示装置制御回路用電源６と、電圧安定化装置１０から構成される。図２と同符号を付したものは同機能を有するため説明を省略する。
【００１２】
熱発電デバイス８は、ゼーベック効果を有し、ＰＤＰパネル１とほぼ同じ面積を有する平面のデバイスである。熱発電デバイス８は、２つの面に温度差を生じさせることで電力を発生させる。以下、ＰＤＰパネル１と接する側を高温面とし、背面支持板３と接する面を低温面として説明する。
【００１３】
ＰＤＰパネル１が映像を表示する際に発生した熱は、第１の熱伝導シート７を通じて熱発電デバイス８の高温面に伝えられる。熱発電デバイス８の低温面は、第２の熱伝導シート９を介して熱を背面支持板３へ逃がすことで、温度差を生じさせ発電を行う。熱発電デバイス８で発電した電力は電圧安定化装置１０へ供給され、電圧安定化装置１０により一定の電圧に保たれ、排熱用ファン５の駆動用電力として供給される。
【００１４】
ここで、表示装置制御回路用電源６からは排熱用ファン５に電力を供給しない。よって、本実施の形態によれば、排熱用ファン５の電力分をＰＤＰパネル１が映像を表示する際に発生する熱を用いて発電することにより、従来の映像表示装置と比べ消費電力を低減させることが可能となる。
【産業上の利用可能性】
【００１５】
本発明によれば、映像表示装置自体が発生する熱を利用して発電し映像表示装置を制御することが可能となるため、ＰＤＰパネルを用いた映像表示装置の省エネルギー対策として有用である。
【符号の説明】
【００１６】
１００    映像表示装置
１    ＰＤＰパネル
３    背面支持板
４    表示装置制御回路
５    排熱用ファン
６    表示装置制御回路用電源
７    第１の熱伝導シート
８    熱発電デバイス
９    第２の熱伝導シート
１０    電圧安定化装置
【図１】
2011232587.tif 000003
【図２】
2011232587.tif 000004
(57)【要約】【課題】マウスパッドを提供する。【解決手段】マウスパッドと、タッチパネル式のマウスとを含んでなり、該マウスパッド上にタッチパネル式のマウスを固定して設けてなる。【選択図】図１
2011232850.tif 000002
【特許請求の範囲】
【請求項１】
マウスパッドと、タッチパネル式のマウスとを含んでなり、該マウスパッド上にタッチパネル式のマウスを固定して設けてなることを特徴とするマウスパッド。
【請求項２】
前記マウスパッドが、前方にタッチパネル式のマウスを固定して設けてなり、後方に空気体を固定して設けてなることを特徴とする請求項１に記載のマウスパッド。
【請求項３】
前記マウスパッドが、表面にハードケースを固定して接続し、該ハードケース上にタッチパネル式のマウスを固定して設けてなることを特徴とする請求項１に記載のマウスパッド。
【請求項４】
前記マウスパッドが、後方に空気体を設けてなることを特徴とする請求項３に記載のマウスパッド。
【請求項５】
前記タッチパネル式のマウスが、多点式の判別機能を具えたパネルであることを特徴とする請求項３に記載のマウスパッド。
【発明の詳細な説明】
【技術分野】
【０００１】
この発明は、マウスパッドに関し、特に今コンピュータを操作するために使用するマウスのパッドに関する。
【背景技術】
【０００２】
従来のマウスパッドは、コンピュータに外部接続するタイプか、或いは光電式のマウスを滑動させる場合にマウスを摩擦運動させるパッド体である。
【０００３】
該パッドはマウスとコンピュータの操作面とが互いに摩擦し、コンピュータの操作面が損壊することを防ぐことができる。
【０００４】
しかしながら、パッドは一般的に方形で、長時間マウスを滑動させると、手や肩が疲れ、マッサージの効果がない。
【０００５】
マウスパッド上で使用するマウスはいずれも、機械、或いは光電式のマウスで、体積が比較的大きく、マウスパッドと一緒に保管する場合に不便である。
【０００６】
また、マウスを購入すると、マウスパッドも購入しなければならないため、非常に不便である。
【０００７】
現在、多くのノートブックコンピュータは、タッチパネル式のマウスを採用している。
【０００８】
前述のマウスは、使用者が手指をタッチパネルに近づけると、電容量が変化し、タッチパネルがＩＣで電容量の変化を検知し、座標に転換する。
【０００９】
該パネルは体積が小さく、モジュール化できる。
【発明の概要】
【発明が解決しようとする課題】
【００１０】
この発明は、マウスパッドとマウスとを別々に購入する必要がなく、長時間使用しても手や腕の関節が疲れ難いマウスパッドを提供することを課題とする。
【課題を解決するための手段】
【００１１】
そこで本発明者は、マウスパッドと、タッチパネル式のマウスとを含んでなり、該マウスパッド上にタッチパネル式のマウスを固定して設けてなるマウスパッドによって課題を解決できる点に着眼し、係る知見に基づき本発明を完成させた。
以下、この発明について具体的に説明する。
【００１２】
請求項１に記載するマウスパッドは、マウスパッドと、タッチパネル式のマウスとを含んでなり、該マウスパッド上にタッチパネル式のマウスを固定して設けてなる。
【００１３】
請求項２に記載するマウスパッドは、請求項１におけるマウスパッドが、前方にタッチパネル式のマウスを固定して設けてなり、後方に空気体を固定して設けてなる。
【００１４】
請求項３に記載するマウスパッドは、請求項１におけるマウスパッドが、表面にハードケースを固定して接続し、該ハードケース上にタッチパネル式のマウスを固定して設けてなる。
【００１５】
請求項４に記載するマウスパッドは、請求項３におけるマウスパッドが、後方に空気体を設けてなる。
【００１６】
請求項５に記載するマウスパッドは、請求項３におけるタッチパネル式のマウスが、多点式の判別機能を具えたパネルである。
【発明の効果】
【００１７】
この発明のマウスパッドは、マウスとパッドを別に購入する必要がなく経済的で、手や腕が疲れ難いという効果を有する。
【図面の簡単な説明】
【００１８】
【図１】この発明のマウスパッドを示した斜視図である。
【図２】この発明のマウスパッドの他の実施形態を示した斜視図である。
【図３】この発明のマウスパッドのその他の実施形態を示した斜視図である。
【図４】この発明のマウスパッドの別の実施形態を示した斜視図である。
【発明を実施するための形態】
【００１９】
この発明は、マウスパッドとマウスとを別々に購入する必要がなく、長時間使用しても手や腕の関節が疲れ難いマウスパッドであって、マウスパッドと、タッチパネル式のマウスとを含んでなり、該マウスパッド上にタッチパネル式のマウスを固定して設けてなる。
係る構成のマウスパッドについて、その構造と特徴を詳述するために具体的な実施例を挙げ、以下に説明する。
【実施例】
【００２０】
図１に開示するように、この発明のマウスパッドは、タッチパネル式のマウスを具えてなり、マウスパッド１と、タッチパネル式マウス２とを含んでなる。
【００２１】
該マウスパッド１上には、タッチパネル式のマウス２を固定して設ける。
【００２２】
該タッチパネル式のマウス２は、多点式の判別機能を具えたパネルである。
【００２３】
図２は、この発明の他の実施形態を示したものである。
【００２４】
図面によれば、この発明のマウスパッドは、マウスパッド１の表面の前方にタッチパネル式のマウス２を固定して設け、もう一方の後方に空気体４を設けてなる。
【００２５】
図３は、この発明のその他の実施形態を示したものである。
【００２６】
図面によれば、この発明のマウスパッドは、マウスパッド１の表面にハードケース３を固定して接続し、該ハードケース３上にタッチパネル式のマウス２を固定して設ける。
【００２７】
図４は、この発明の別の実施形態を示したものである。
【００２８】
図面によれば、この発明のマウスパッドは、マウスパッド１の表面にハードケース３を固定して接続し、該ハードケース３上にタッチパネル式のマウス２を固定して設け、マウス１の後方に空気体４を設けてなる。
【００２９】
使用する場合、タッチパネル式のマウス２のＵＳＢコネクタ２１をコンピュータマウスのインタフェイスに接続すればよい。
【００３０】
以上は、この発明の好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【符号の説明】
【００３１】
１      マウスパッド
２      マウス
２１    ＵＳＢコネクタ
３      ハードケース
４      空気体
【図１】
2011232850.tif 000003
【図２】
2011232850.tif 000004
【図３】
2011232850.tif 000005
【図４】
2011232850.tif 000006
【外国語明細書】
2011232850000001.pdf
(57)【要約】【課題】一台のカメラで一度に複数視点からの像を撮影する立体写真撮影装置を作成する。【解決手段】被写体（２）の上にカメラ（１）を配置し、複数面からなる鏡台（３）を介して被写体を撮影する。【選択図】図１
2011232720.tif 000002
【特許請求の範囲】
【請求項１】
被写体の前に複数面からなる鏡台を配し、被写体の上、あるいは、下に配したカメラで、この鏡台を介して被写体を撮影し、複数視点からの像を一度に撮影する立体写真撮影装置。
【請求項２】
鏡台の鏡にシリンドリカル・ミラーを用いた請求項１記載の立体写真撮影装置。
【発明の詳細な説明】
【技術分野】
【０００１】  本発明は、複数視点からの像を一度に撮影する立体写真の撮影装置に関する。
【背景技術】
【０００２】  複数視点からの像を一度に撮影し立体写真にするには、複数のカメラを適切な視点に配置し、シャッターを同期して撮影するものが知られている。
【発明の開示】
【発明が解決しようとする課題】
【０００３】  しかしながら、これを実現するためには、複数台のカメラを用いるため高価であった。
また、各々のカメラの調整が難しく安定した品質の立体写真が得られにくい問題があった。
本発明では、低価格で安定した品質の立体写真を撮影することを課題とする。
【課題を解決するための手段】
【０００４】  第１図に於いて、カメラ（１）は被写体（２）の上に配置し、鏡台（３）は被写体（２）の前に配置する。
カメラ（１）は、鏡台（３）で反射された被写体（２）の像を撮影するように、カメラ（１）のレンズが向けられている。
第２図に於いて、鏡台（３）は、左側鏡（４）、中央鏡（５）、右側鏡（６）からなり、左側視点（７）からの左斜め前像（１１），正面視点（８）からの正面像（１２），右側視点（９）からの右斜め前像（１０）をまとめて一度に写真（１０）としてカメラ（１）で撮影する。
カメラ（１）で撮影された写真（１０）は鏡像であるので、水平方向に反転し使用する。【０００５】  請求項２記載の発明は、第４図に於いて、被写体（１５）の前に、左側シリンドリカル・ミラー（１６）、中央シリンドリカル・ミラー（１７）、右側シリンドリカル・ミラー（１８）からなる鏡台を配し、左側視点（１９）からの左斜め前像（２３），正面視点（２０）からの正面像（２４），右側視点（２１）からの右斜め前像（２５）をまとめて一度に写真（２２）としてカメラ（１４）で撮影する。
カメラ（１４）で撮影された写真（２２）は鏡像であり、かつ横方向に縮小されているので、水平方向に反転し、水平方向に伸張して使用する。
【発明の効果】
【０００６】  本発明で撮影される立体写真は、一台のカメラで複数視点からの像を一度に撮ったものであり、撮影した像をデータとしてコンピュータ処理することで、レンチキュラーなどの立体表示手段のデータとして活用するものである。
一台のカメラで複数視点からの像を撮影できることから、低価格な立体写真撮影装置を供給できる。
一台のカメラで一度に撮影できることから、複数カメラを使うものより、撮影条件の設定が簡単になる。
また、鏡で折り返していることから、撮影スペースを半分程度に縮小できる。【０００７】  請求項２記載の発明は、視点と視点の距離を短くすることが出来るので、立体感の強弱を決定するステレオベースを調節することが出来る。
【発明を実施するための最良の形態】
【０００９】  カメラ（１）に、デジタル・スチル・カメラを用いて、被写体（２）の後ろ側を青のカーテンで囲む。
被写体（１）は、鏡台（３）に写る自分の姿から、撮影イメージを確認しながら撮影を開始する。
撮影した写真は、クロマキー合成法などで背景などを加えるデジタル処理を行った上で、レンチキュラーなどの立体表示手段に合わせた加工装置に渡される。
被写体（１）自らが、時限シャッターを押す手段があり、自動立体写真撮影装置として供給される。
【図面の簡単な説明】
【００１０】
【図１】本発明の側面図である。
【図２】本発明の平面図である。
【図３】本発明の撮影した写真である。
【図４】本発明の請求項２の平面図である。
【図５】本発明の請求項２の撮影した写真である。
【符号の説明】
【００１１】  １  カメラ                        ２  被写体
３  鏡台                          ４  左側鏡
５  中央鏡                        ６  右側鏡
７  左側視点                      ８  正面視点
９  右側視点                    １０  写真
１１  左斜め前像                  １２  正面像
１３  右斜め前像                  １４  カメラ
１５  被写体                      １６  左側シリンドリカル・ミラー
１７  中央シリンドリカル・ミラー  １８  右側シリンドリカル・ミラー
１９  左側視点                    ２０  正面視点
２１  右側視点                    ２２  写真
２３  左斜め前像                  ２４  正面像
２５  右斜め前像
【図１】
2011232720.tif 000003
【図２】
2011232720.tif 000004
【図３】
2011232720.tif 000005
【図４】
2011232720.tif 000006
【図５】
2011232720.tif 000007
(57)【要約】【課題】従来のWEBサイトの更新・修正にはHTMLの知識を持った技術者を社内に有するか、WEBサイトの制作会社に依頼して更新・修正を行っており、中小企業にとっては費用及び時間的な負担が大きい。また、大企業であってもWEBサイトのリニューアルを行うためにシステム全体の買い換えが発生することもあり、費用及び時間的な負担が大きい。【解決手段】上記課題を解決するために本システム「Wolkeed」は、更新・修正したいWEBサイトのFTP情報等を事前に登録しておくことで、HTMLに直接手を加えることをせず、ブラウザ上で更新・修正したい内容を範囲指定やテキスト入力等の簡易な操作を行うことで、対象のWEBサイトのHTML情報の更新を行う。【選択図】図１
2011232951.tif 000002
【特許請求の範囲】
【請求項１】
インターネット上にWEBサイトを所有しているものを対象とし、静的なHTMLにより構築さ
れているWEBサイトについてFTP情報等を事前に設定し、ブラウザ上から更新・修正及び新規作成ができるＡＳＰシステム。
【発明の詳細な説明】
【技術分野】
【０００１】
本発明は、インターネットにおけるWEBシステムに関する。
【背景技術】
【０００２】
世界では約３億サイト、日本では約１億８千万サイトが存在していると推定されているが、それらのHTMLベースのサイトを更新・修正するためにはHTMLの知識を持った技術者を社内に有するか、WEBサイトの制作会社に依頼して更新・修正を行っている。
【発明の開示】
【発明が解決しようとする課題】
【０００３】
従来のWEBサイトの更新・修正にはHTMLの知識を持った技術者を社内に有するか、WEBサイトの制作会社に依頼して更新・修正を行っており、中小企業にとっては費用及び時間的な負担が大きい。また、大企業であってもWEBサイトのリニューアルを行うためにシステム
全体の買い換えが発生することもあり、費用及び時間的な負担が大きい。
【課題を解決するための手段】
【０００４】
上記課題を解決するために本システム「Wolkeed」は、更新・修正したいWEBサイトのFTP
情報等を事前に登録しておくことで、HTMLに直接手を加えることをせず、ブラウザ上で更新・修正したい内容を範囲指定やテキスト入力等の簡易な操作を行うことで、対象のWEB
サイトのHTML情報の更新を行う。
【発明の効果】
【０００５】
今までWEBサイトの更新・修正に対してかかっていた費用及び時間を大幅に短縮すること
が出来る。
【図面の簡単な説明】
【０００６】
【図１】実施例の図である。
【発明を実施するための形態】
【０００７】
ブラウザはInternet Explorer 7.0あるいは8.0（ともにマイクロソフト社登録商標）が望ましい。
以下、本発明の実施の形態として実施例を図１に基づいて説明する。
【実施例１】
【０００８】
図１において、１、WEBサイトのFTP情報等を登録する。２、WEBサイトの情報を取得。
３、WEBサイトをブラウザ上から更新・修正。４、WEBサイトのHTMLの更新情報をサーバへアップロードする。５、WEBサイトのHTMLの更新を反映する。
【図１】
2011232951.tif 000003
(57)【要約】【課題】被層成形体を持つ生コンスラッジを主原料としたロング状ブロック枠型成形構造は、物理的強度を備え、耐水性がある。ゼロエミッションシステム方法製造の適用範囲の汎用から、大型枠型製造によっては、廃棄物のゼロ化を可能とする。【解決手段】廃棄物を主原料として、廃棄物を出さない製造技術を開発目的としての特徴をいかし、枠型成形構造物の内部空間に廃棄物を原料として使うゼロエミッション一体型枠型成形構造の環境機能を提供する。【選択図】なし【特許請求の範囲】
【請求項１】
生コンスラッジを主原料とした廃棄物含有のロング形状ブロック枠型成形構造にしたことを特徴とする枠型成型材。
【請求項２】
枠型構造物に密着加工固形廃棄物の内在保持を特徴とした枠型成形材。
【請求項３】
枠型成形材を複数組み合せ、枠型製造内部に密着加工の産廃物を備えた枠型成形材。
【請求項４】
請求項１から請求項３の枠型上部に蓋の装置をする加工産廃物含有の大型枠型ブロック形状の枠型成形材。
【請求項５】
ゼロエミッションシステム方法のロング形状ブロック製造の適用汎用、趣旨構造を逸脱しない範囲の変更は本発明に含まれる。
【発明の詳細な説明】
【技術分野】
【０００１】本発明は、防波堤工事・湾岸工事・ストックヤード等のロング形状に適した枠型構造の成形製造方法に関する。
【背景技術】
【０００２】ゼロエミッションシステム方法のロング形状ブロックの枠型成形に技術は至らなかった。
【発明の開示】
【発明が解決しようとする課題】
【０００３】本発明の目的は、産業廃棄物の活用によって、廃棄物処理場が延命されることと、低コストで、加工性・物理的強度・耐水性に満足し、所望の環境問題の解決に貢献することもできる。
【課題を解決するための手段】
【０００４】ゼロエミッションの目的を達成するため、本発明は、生コンスラッジを主原料とする枠型成形の内部空間に、廃棄物を充填することによって一体型の成形材を提供する。
【発明の効果】
【０００５】  本発明により、枠型成形は、コンクリート型成形材としての機能を発揮し、物理的強度、施工等を満足し、環境問題を解決し資源の有効活用を図り、環境の良好化に寄与する。一体型枠型成形であることから工期の短縮を可能とし、低コスト分野の開発を特徴とする。
【発明を実施するための最良の形態】
【０００６】上記性能のある二次公害防止対策を不要とし、ゼロエミッションを取り入れ、枠型成形空間内部に密着加工固形廃棄物を充填する。連結機能をもつロング形状ブロック枠型構造にすることで工事を容易にし、美観に優れている。
【産業上の利用可能性】
【０００７】ゼロエミッションの枠型成形材は、防波堤工事・湾岸工事・ストックヤード等ロング形状ブロックの製造は、大きな改善効果を与える利用可能性をもつ。
環境に優しく低コスト分野の開発で費用対効果の期待と健全な環境効果が得られ、ことを特徴とする。【０００８】本発明の枠型内部に珪藻土を入れることによって、原子力発電所や放射能処理施設、医療機関や研究機関、シェルター等放射線被爆可能性の高い遮蔽壁としては、放射線遮蔽能力の向上への利用可能性をもつ。【０００９】本発明の構造内部にある珪藻土は、火災時に延焼を遅滞させる。または、防止する構造をもち、防火への利用可能性をもつ。
(57)【要約】【課題】本発明は、スクラブ剤としてマンナンを配合したメイク落とし用化粧料に関する。メイク落とし用化粧料は、メイクアップ化粧料、過剰な皮脂、皮膚の汚れや皮膚の老廃物等を除去するために用いられる化粧料であるが、近年女性の美の追求が高まり、落ちにくいマスカラ、ファンデーション等が開発され、高粘度油脂等の成分が使用されることで、落とす為に鉱物油が使用され、肌への負担、トラブルが起きるという問題点があった。そこで、本発明者らはメイクアップ化粧料の除去を効果的に達成する一方で、鉱物油を使用せず、肌に負担が少ないメイク落とし用化粧料を提供することを課題とした。【解決手段】本発明者らクレンジング効果を高める目的でスクラブ剤を配合した。そこで、本発明者らは安全で効果的なスクラブ剤の原料を鋭意研究の結果、グルコマンナン粉末を利用することにより、肌に過度な負担をかけずに、優れたクレンジング効果とマッサージ効果を提供できることを見いだし、保湿剤としてポリクオタニウム-５１を配合することにより、従来のスクラブ剤を含有して優れたクレンジング効果を有するメイク落とし用化粧料の、使用後につっぱり感を与え、肌を乾燥させているという問題点も解決しようと試みた。【特許請求の範囲】
【請求項１】
グルコマンナンを主成分とする粒子を配合することを特徴とするメイク落とし用化粧料。
【請求項２】
ポリオクタニウム-５１を配合することを特徴とする請求項１に記載のメイク落とし用化粧料。
【請求項３】
鉱物油を使用せず、ゲル（ジェル）を基材に使用することを特徴とする請求項１から２に記載のメイク落とし用化粧料。
【発明の詳細な説明】
【技術分野】
【０００１】
本発明はメイク落とし用化粧料に関する。詳しくはスクラブ剤としてマンナンを配合し、クレンジング効果やマッサージ効果が得られることから、メイクを落とすと共に皮膚の汚れや老廃物の吸着除去することができ、さらに詳しくは、保湿成分も配合し、使用後のつっぱり感や皮膚の乾燥の低減が期待できるメイク落とし用化粧料に関する。
【背景技術】
【０００２】
メイク落とし用化粧料はメイクアップ化粧料、過剰な皮脂、皮膚の汚れや皮膚の老廃物等を除去するために用いられる化粧料である。近年、美への関心は高まり、様々なメイクアップ化粧料が開発、販売され、女性を中心に広く利用されている。この種のメイクアップ化粧料は粉体や色素類の光学的な効果により美しい肌色を演出したり、色素沈着などの皮膚トラブルを目立たせなくするために使用されているので、皮脂や汗などにより化粧崩れをしてしまうことは好ましくない。そこで化粧崩れを防ぐためにメイクアップ化粧料には高融点ワックスや高粘度油脂等がしばしば使用されている。しかしながら、このような高融点ワックスや高粘度油脂はメイクアップを除去する際に障害となる。そのため、近年、油性の化粧料に対しての除去を効果的に行うことができる鉱物油を利用したオイルクレンジングが広がりつつあるが、この種の鉱物油は肌への負担が大きく問題となっている。そこで、現在、肌への負担が少なく、メイクアップ化粧料を効果的に除去するメイク落とし用化粧料の開発が望まれている。
【発明の概要】
【発明が解決しようとする課題】
【０００３】
以上の事実を鑑みて、本発明者らはメイクアップ化粧料の除去を効果的に達成する一方で、鉱物油を使用せず、肌に負担が少ないメイク落とし用化粧料を提供することを課題とした。
【課題を解決するための手段】
【０００４】
前記の課題を解決するために、本発明者らクレンジング効果を高める目的でスクラブ剤を配合した。従来のスクラブ剤はクルミやアンズ等の種子を粉砕した粒子や、ポリエチレン等の合成樹脂を粉砕した粒子またはシリカビーズやセルロースビーズ等が利用されている。しかし、種子を粉砕した粒子は一般に不定期で鋭い割面を有することが多く、皮膚を損傷したり、目に入った際に角膜を損傷してしまう等の安全性に問題がある。合成樹脂を粉砕した粒子やシリカビーズ、セルロースビーズを利用した場合は、粒子の形状をある程度制御できるので、例えば球状粒子とすれば転動効果且つ高い研磨機能を有し、皮膚や角膜を損傷する危険性は低減される。しかし、本質的には崩壊や変形することのない堅い粒子のために、過度なスクラブにより皮膚若しくは皮下組織を損傷させてしまう問題がある。そこで、本発明者らは安全で効果的なスクラブ剤の原料を鋭意研究の結果、グルコマンナン粉末を利用することにより、肌に過度な負担をかけずに、優れたクレンジング効果とマッサージ効果を提供できることを見いだした。
【０００５】
また、本発明者らは肌に負担の少ないメイク落とし用化粧料を提供するという課題も解決すべく、保湿剤としてポリクオタニウム-５１を配合することにより、従来のスクラブ剤を含有して優れたクレンジング効果を有するメイク落とし用化粧料は、使用後につっぱり感を与え、肌を乾燥させているという問題点も解決しようと試みた。このことにより、使用後に肌を乾燥させずに優れたクレンジング効果とマッサージ効果をもたらすメイク落とし用化粧料が提供できることを見いだした。
【発明の効果】
【０００６】
本発明を実施すると以下の効果を得ることができる。
＜１＞ 肌を傷めず汚れを落とす効果
＜２＞ ポリクオタニウム-５１による保湿効果
【発明を実施するための形態】
【０００７】
以下に、実施形態により本発明を具体的に説明する。尚、本発明は下記実施形態に限定されるものではなく、本発明の趣旨を逸脱しない範囲において当業者が行いうる変更、改良を施した種々の形態について実施することができる。本発明のメイク落とし用化粧料の必須成分はグルコマンナンからなる粒子およびポリクオタニウム-５１であることを特徴とする。その他の成分に関しては、通常化粧料に使用される任意成分を含有することが可能である。以下に、本発明のメイク落とし用化粧料の配合成分に関して詳しく説明する。
【０００８】
本発明の必須成分であるグルコマンナンからなる粒子に関して説明する。グルコマンナンからなる粒子は、蒟蒻を乾燥させて粉砕することで得られる。本発明のメイク落とし用化粧料はこのグルコマンナンからなる粒子を約３質量％含有することが望ましい。
【０００９】
本発明のもう１つの必須成分であるポリクオタニウム-５１に関して説明する。ポリオクタニウム-５１は高い保湿機能を有する。ポリクオタニウム-５１の働きにより、利用者は使用後のツッパリ感や肌の乾燥を防ぐことが可能となる。
【００１０】
以下に本発明の一製造例を示す。
＜製造例＞
水                          ８５質量％
グルコマンナン粒子            ３質量％
異性化糖       ３質量％
ポリクオタニウム-５１     １質量％
【００１１】
本発明のマンナンクレンジングを評価するために上記の製造例１を用いてパネラーによる評価を行った。以下がその評価結果である。
20代〜80代の乾燥肌の女性20名に対して、1週間使用し、アンケートを取った。
評価は5段階評価で以下のように記載してもらい、その合計点数を表にまとめたのが、表１である。
５  非常に良い
４  やや良い
３  良い
２  やや悪い
１  非常に悪い
【００１２】
【表１】
2011116676.tif 000002
詳細データは別途有
【００１３】
表１よりスクラブによるメイク落とし効果、スキンケア効果があることが判った。
(57)【要約】      （修正有）【課題】良好なゲルにより温感効果がマッサージ中ずっと持続し、しかも安全性が良好な温感ゲル状化粧料の提供。【解決手段】平均重合度が４〜３０のポリエチレングリコールを１５〜２５質量％と、グリセリンを６０〜８５質量％を含有する、温感ゲル状化粧料。【選択図】なし【特許請求の範囲】
【請求項１】
平均重合度が４〜３０のポリエチレングリコールを１５〜２５質量％と、グリセリンを６０〜８５質量％を含有する、温感ゲル状化粧料。
【発明の詳細な説明】
【技術分野】
【０００１】
本発明は、平均重合度が４〜３０のポリエチレングリコールを１５〜２５質量％と、グリセリンを６０〜８５質量％を含有する、温感ゲル状化粧料に関する。
【背景技術】
【０００２】
従来から化粧品に広く使われている多価アルコールの中でもグリセリンは、水に接する
と水和熱により温感を生じる事が知られており、マッサージ料やパック料等のゲル状化粧
料として広く用いられている（特許文献１参照）。
しかしながら、グリセリンの水和反応熱のみを利用した上記方法では、発熱量が不十分であった。そこで、ゼオライト、活性アルミナ、シリカゲル等の水と反応して発熱する水和発熱性無機粉体（特許文献２参照）、水和する際発熱する性質を有する無機塩の粒体（特許文献３参照）等の発熱剤を併用したり、発熱剤及び温感剤を含有する皮膚化粧料（特許文献４参照）等が開示されている。
【先行技術文献】
【特許文献】
【０００３】
【特許文献１】特開平１１−１２１２６号公報
【特許文献２】特開２００９−６７７２１号公報
【特許文献３】特開２００１−１２２７２２号公報
【特許文献４】特開平１１−６０４６０号公報
【発明の概要】
【発明が解決しようとする課題】
【０００４】
しかしながら、発熱剤による温度上昇効果は短時間で終わってしまうという問題点があった。また唐辛子エキス、センブリエキスに代表される温感剤は、皮膚刺激性の原因となり安全性悪化の原因となり得る、という問題点があった。
そこで、本発明においては、良好なゲルにより温感効果がマッサージ中ずっと持続し、しかも安全性が良好な温感ゲル状化粧料を提供することを目的とした。
【課題を解決するための手段】
【０００５】
本願発明は、平均重合度が４〜３０のポリエチレングリコールを１５〜２５質量％と、グリセリンを６０〜８５質量％を含有する、温感ゲル状化粧料を提供する。
【発明の効果】
【０００６】
本発明の温感ゲル状化粧料は、良好なゲルにより温感効果がマッサージ中ずっと持続し、しかも安全性が良好であるという効果を発揮する。
【発明を実施するための形態】
【０００７】
以下本発明を実施するための形態を説明する。
【０００８】
本発明の温感ゲル状化粧料は、平均重合度が４〜３０のポリエチレングリコールを１５〜２５質量％と、グリセリンを６０〜８５質量％を含有する。
【０００９】
本発明において用いるポリエチレングリコールとしては、通常化粧料に配合しうるポリエチレングリコールであれば特に限定されない。ポリエチレングリコールの平均重合度は、４〜３０の範囲、特に７〜２０の範囲が好ましい。平均重合度が４未満では良好なゲルを得ることが困難になり、マッサージ効果が得られにくくなる。平均重合度が３０を超えると温感が得にくくなり、またゲルの硬度が高くなりすぎてマッサージに向かなくなる。本発明においてはかかる平均重合度が４〜３０のポリエチレングリコールを１５〜２５質量％配合する。配合量が１５質量％未満の場合、温感効果が得にくくなる。２５質量％を超えて配合するとゲルの硬度が低くなり、マッサージ効果を得ることが困難になる。
【００１０】
本発明において用いるグリセリンとしては、通常化粧料に配合しうるグリセリンであれば特に限定されない。グリセリンの配合量が６０〜８０質量％が最適である。
【００１１】
本発明のゲル状化粧料において、平均重合度が４〜３０のポリエチレングリコールとグリセリンの配合量の和は、９０質量％以上であることが好ましい。９０質量％未満の場合、良好な温感効果を得ることが困難になる。
【００１２】
本発明の温感ゲル状化粧料には、発熱剤を配合しないことが好ましい。発熱剤を配合すると、温感の持続性が劣り肌の上で急激な温度上昇と温度降下が生じ、使用感情好ましくない影響を与える場合がある。また発熱剤に配合により高温での安定性に問題を生じる場合がある。
【００１３】
本発明のゲル状化粧料には、必要に応じてゲル化剤を配合する。かかるゲル化剤としては、カルボキシビニルポリマー、アルキル変性カルボキシビニルポリマーから選択される１種又は２種以上を用いることが好ましい。かかるゲル化剤は、ゲル状化粧料全量に対し、０．０１〜１質量％配合することができる。
【００１４】
本発明のゲル状化粧料には、上記必須成分のほかに、通常化粧料に用いられる成分として、温感剤、着色剤、抗炎症剤、保湿剤、防腐剤、界面活性剤、金属封鎖剤、香料、酸化防止剤、美容剤等を、本発明の効果を損なわない範囲で配合することができる。
【実施例】
【００１５】
以下に本発明を実施例を用いて説明するが、本発明の技術的範囲はこれによってなんら限定されるものではない。
【００１６】
表１に示した処方にて、温感ゲル状化粧料を定法により調製し、使用感の評価を行った。
【００１７】
【表１】
2011116726.tif 000002
【００１８】
表１に示したとおり、本発明の実施例は、マッサージに適したゲル特性を有し、良好な温感がマッサージのはじめから終わりまで持続していた。また、ヒト２４時間閉塞パッチテスト、スティンギング刺激テストともに良好な結果であった。これに対し、平均重合度が３のポリエチレングリコールを用いた比較例１においては、温感は認められたが、良好なゲルを形成することができなかった。平均重合度が３２のポリエチレングリコールを用いた比較例２はゲルの性状は良好であったが、温感が認められなかった。ポリエチレングリコールの配合量が１０質量％の比較例３においては、ゲルの性状は良好であったが、温感が認められなかった。ポリエチレングリコールの配合量が３０質量％の比較例４においては温感は認められたもののゲルの硬度が硬すぎてマッサージに適さなかった。